(57)【特許請求の範囲】
【請求項１】
移動端末におけるアクセスクラス制限リストに基づくサービス状態情報提供方法において、
接続されたセルの現在状態を提供するシステム情報ブロックを前記移動端末が受信するステップと、
前記受信したシステム情報ブロックからアクセスクラス制限リストを獲得するステップと、
前記移動端末に格納されたアクセスクラス制限に関する情報を用いて前記受信したシステム情報ブロックに含まれたアクセスクラス制限リストを検査するステップと、
前記検査の結果に基づく前記セルの制限サービスを前記移動端末にディスプレイするステップと、を含み、
前記システム情報ブロックは、現在キャンピングしているセルのネットワークから周期的にブロードキャストされるアクセスクラス制限情報を含み、
前記検査の結果に基づく前記セルの制限サービスを前記移動端末にディスプレイするステップの後、アクセスクラス制限検査結果の情報を、音声通信サービス及びデータ通信サービス及び短文メッセージサービスのそれぞれを担当する各機能モジュールに生成、伝達して、該当サービス要請時にサービス制限有無を前記移動端末にディスプレイさせる
ことを特徴とする方法。
【請求項２】
前記サービス状態情報提供方法により、前記移動端末において制限するサービスは、前記音声通信サービス、前記データ通信サービス及び前記短文メッセージサービス（ｓｈｏｒｔ  ｍｅｓｓａｇｅ  ｓｅｒｖｉｃｅ、ＳＭＳ）のうちいずれか一つである
ことを特徴とする請求項１に記載の方法。
【請求項３】
前記アクセスクラス制限に関する情報は、前記移動端末のＳＩＭ（Ｓｕｂｓｃｒｉｂｅｒ  Ｉｄｅｎｔｉｔｙ  Ｍｏｄｕｌｅ）に格納される
ことを特徴とする請求項１に記載の方法。
【請求項４】
前記システム情報ブロックは、前記接続されたセルの放送チャネルから受信される
ことを特徴とする請求項１に記載の方法。
【請求項５】
前記検査の結果に基づく前記セルの制限サービスを前記移動端末にディスプレイするステップは、前記アクセスクラス制限リストが前記アクセスクラス制限に関する情報と一致する場合に、遂行される
ことを特徴とする請求項１に記載の方法。
【請求項６】
移動端末におけるアクセスクラス制限リストに基づくサービス状態情報提供装置において、
接続されたセルの現在状態を提供するシステム情報ブロックを受信し、受信した前記システム情報ブロックからアクセスクラス制限リストを獲得する制御部と、
前記移動端末に格納されたアクセスクラス制限に関する情報を用いて受信した前記システム情報ブロックに含まれたアクセスクラス制限リストを検査し、前記検査の結果を出力するセル制限情報処理部と、
前記検査の結果に基づく前記セルの制限サービスをディスプレイするユーザインタフェースと、を含み、
前記システム情報ブロックは、現在キャンピングしているセルのネットワークから周期的にブロードキャストされるアクセスクラス制限情報を含み、
前記検査の結果に基づく前記セルの制限サービスをディスプレイした後、アクセスクラス制限検査結果の情報を、音声通信サービス及びデータ通信サービス及び短文メッセージサービスのそれぞれを担当する各機能モジュールに生成、伝達して、該当サービス要請時にサービス制限有無を前記移動端末にディスプレイさせる
ことを特徴とする装置。
【請求項７】
前記サービス状態情報提供装置により、前記移動端末において制限するサービスは、前記音声通信サービス、前記データ通信サービス及び前記短文メッセージサービス（ｓｈｏｒｔ  ｍｅｓｓａｇｅ  ｓｅｒｖｉｃｅ、ＳＭＳ）のうちいずれか一つである
ことを特徴とする請求項６に記載の装置。
【請求項８】
前記アクセスクラス制限に関する情報は、前記移動端末のＳＩＭ（Ｓｕｂｓｃｒｉｂｅｒ  Ｉｄｅｎｔｉｔｙ  Ｍｏｄｕｌｅ）に格納される
ことを特徴とする請求項６に記載の装置。
【請求項９】
前記システム情報ブロックは、前記接続されたセルの放送チャネルから受信される
ことを特徴とする請求項６に記載の装置。
【請求項１０】
前記アクセスクラス制限リストが前記アクセスクラス制限に関する情報と一致する場合、前記ユーザインタフェースは、前記検査結果に基づく前記セルの制限サービスをディスプレイする
ことを特徴とする請求項６に記載の装置。
【請求項１１】
移動端末におけるアクセスクラス制限リストに基づくサービス状態を提供するプログラムが記録されたコンピュータ読出できる記録媒体において、
接続されたセルの現在状態を提供するシステム情報ブロックを受信する第１コードセグメントと、
前記受信したシステム情報ブロックからアクセスクラス制限リストを獲得する第２コードセグメントと、
前記移動端末に格納されたアクセスクラス制限に関する情報を用いて前記受信したシステム情報ブロックに含まれた前記アクセスクラス制限リストを検査する第３コードセグメントと、
前記検査結果に基づく前記セルの制限サービスを前記移動端末にディスプレイする第４コードセグメントと、を含み、
前記システム情報ブロックは、現在キャンピングしているセルのネットワークから周期的にブロードキャストされるアクセスクラス制限情報を含み、
前記検査の結果に基づく前記セルの制限サービスを前記移動端末にディスプレイした後、アクセスクラス制限検査結果の情報を、音声通信サービス及びデータ通信サービス及び短文メッセージサービスのそれぞれを担当する各機能モジュールに生成、伝達して、該当サービス要請時にサービス制限有無を前記移動端末にディスプレイさせるコードセグメントをさらに含む
ことを特徴とする非一時的なコンピュータ読出できる記録媒体。
【請求項１２】
前記移動端末におけるアクセスクラス制限リストに基づく制限するサービスは、前記音声通信サービス、前記データ通信サービス及び前記短文メッセージサービス（ｓｈｏｒｔ  ｍｅｓｓａｇｅ  ｓｅｒｖｉｃｅ、ＳＭＳ）のうちいずれか一つである
ことを特徴とする請求項１１に記載の非一時的なコンピュータ読出できる記録媒体。
【請求項１３】
前記アクセスクラス制限に関する情報は、前記移動端末のＳＩＭ（Ｓｕｂｓｃｒｉｂｅｒ  Ｉｄｅｎｔｉｔｙ  Ｍｏｄｕｌｅ）に格納される
ことを特徴とする請求項１１に記載の非一時的なコンピュータ読出できる記録媒体。
【請求項１４】
前記システム情報ブロックは、前記接続されたセルの放送チャネルから受信される
ことを特徴とする請求項１１に記載の非一時的なコンピュータ読出できる記録媒体。
【請求項１５】
前記第４コードセグメントは、前記アクセスクラス制限リストが前記アクセスクラス制限に関する情報と一致する場合に、遂行される
ことを特徴とする請求項１１に記載の非一時的なコンピュータ読出できる記録媒体。
【発明の詳細な説明】
【技術分野】
【０００１】
本発明は、移動通信システムに関し、特に、ユーザ装置（ＵＥ：Ｕｓｅｒ Ｅｑｕｉｐｍｅｎｔ）が適切なセル（ｓｕｉｔａｂｌｅ ｃｅｌｌ）でパワーオン（ｐｏｗｅｒ ｏｎ）するとき、現在セルのアクセスクラス制限設定によって、前記セル内の資源に対するアクセスが許されない場合、そのことをユーザ装置のユーザインタフェース（ＭＭＩ：Ｍａｎ Ｍａｃｈｉｎｅ Ｉｎｔｅｒｆａｃｅ）に提供して表示する装置及び方法に関する。前記ユーザ装置は、携帯用端末機、移動通信端末機、ＰＤＡ（Ｐｅｒｓｏｎａｌ Ｄｉｇｉｔａｌ Ａｓｓｉｓｔａｎｔ）、ノートブックコンピュータのような機器を含む。
前記適切なセルとは、前記ユーザ装置が正常的にキャンピングできるセルを意味する。
前記キャンピングとは、前記適切なセル内に前記ユーザ装置が位置して、他のセルに移動するまでのサービスを提供されることを意味する。
【背景技術】
【０００２】
ユーザ装置は、パワーオンからパワーオフ（ｐｏｗｅｒ ｏｆｆ）まで、ネットワーク間に周期的に情報を送受信する。すなわち、前記ユーザ装置が情報を更新する必要がある場合、前記ネットワークに該当情報を伝送し、同じく前記ネットワークが情報を更新する必要がある場合、前記ユーザ装置に該当情報を伝送する。前記ユーザ装置は、前記ネットワークが伝送した情報を解釈して、既定義の方式（例えば、通信プロトコール）により次の過程を行う。
特に、前記ユーザ装置は、パワーオンの際、前記ユーザ装置が位置するセルを検索し、前記検索過程の後、そのセルが適切なセルであれば、キャンピング過程を行う。この場合、前記ユーザ装置は、現在セルの固有の情報を得て位置情報を獲得することができる。そして、前記ユーザ装置は、前記キャンピングしたセルから周期的にブロードキャストされるシステム情報（ｓｙｓｔｅｍ ｉｎｆｏｒｍａｔｉｏｎ ｂｌｏｃｋ）を受信し、受信したシステム情報によって、既定義の方式により次の過程を行う。
【０００３】
図１は、一般の移動通信システムの階層構造を示す図面である。
図１に示すように、無線網制御機（ＲＮＣ：Ｒａｄｉｏ Ｎｅｔｗｏｒｋ Ｃｏｎｔｒｏｌｌｅｒ）とユーザ装置（ＵＥ）は、各々の無線資源制御階層（ＲＲＣ：Ｒａｄｉｏ Ｒｅｓｏｕｒｃｅ Ｃｏｎｔｒｏｌ）１１０、１２０、無線連結制御階層（ＲＬＣ：Ｒａｄｉｏ Ｌｉｎｋ Ｃｏｎｔｒｏｌ）１３０、１４０、媒体アクセス制御階層（ＭＡＣ：Ｍｅｄｉｕｍ Ａｃｃｅｓｓ Ｃｏｎｔｒｏｌ）１５０、１６０、物理階層（ｐｈｙｓｉｃａｌ ｌａｙｅｒ、Ｌ１）１７０、１８０を用いて通信を行う。
図１において、前記ユーザ装置は、移動通信端末機を含む。しかし、前記ユーザ装置は、例えば、ＰＤＡ、ノートブックコンピュータ、携帯電話など、様々な他の装置で構成されることができる。
【０００４】
前記物理階層（Ｌ１）１７０、１８０は、１階層の通信プロトコールで、通信媒体に対して電気的、機械的なインタフェースに該当し、接続通信及び接続解除のための過程を含むデータを、前記移動通信システムの装備が通信できる信号に変換する。前記媒体アクセス制御階層１５０、１６０と無線連結制御階層１３０、１４０は、２階層の通信プロトコールで、論理的な接続と連結制御及びエラー制御を行う。前記無線資源制御階層１１０、１２０は、３階層の通信プロトコールで、制御メッセージを交換して前記物理階層（Ｌ１）１７０、１８０と媒体アクセス制御階層１５０、１６０及び無線連結制御階層１３０、１４０に対する設定及び制御を担当する。移動性管理階層（ＭＭ：Ｍｏｂｉｌｉｔｙ Ｃｏｎｔｒｏｌ）１０５は、前記無線資源制御階層１１０の上位に位置し、無線網制御機または移動通信交換機と連動して、前記ユーザ装置の移動による位置管理を行う。ユーザインタフェース（ＭＭＩ：Ｍａｎ Ｍａｃｈｉｎｅ Ｉｎｔｅｒｆａｃｅ）１００は、前記移動性管理階層１０５と通信して現在ユーザ装置の状態を表示したり、ユーザから特定入力を提供されて下位階層に伝達したりする。
【０００５】
前記システム情報（ＳＩＢ：Ｓｙｓｔｅｍ Ｉｎｆｏｒｍａｔｉｏｎ Ｂｌｏｃｋ）で、システム情報３に含まれるセル制限（ｃｅｌｌ ｒｅｓｔｒｉｃｔｉｏｎ）情報のうち、アクセスクラス制限リスト（ａｃｃｅｓｓ ｃｌａｓｓ ｂａｒｒｅｄ ｌｉｓｔ）に設定されたアクセスクラス制限情報が、前記ユーザ装置のＳＩＭカードに格納されたアクセスクラス制限情報と一致すると、前記ユーザ装置の無線資源制御階層は、前記移動性管理階層１０５にこのことを報告する。前記システム情報は、前記無線資源制御階層に伝達されて解釈され、前記移動性管理階層１０５に伝達される。
【０００６】
前記移動性管理階層１０５は、登録を成功させることができないと判断した場合、上位のユーザインタフェースに、現在制限的なサービス（ｌｉｍｉｔｅｄ ｓｅｒｖｉｃｅ）のみが可能であると報告する。前記制限的なサービス提供状態では、非常コール（ｅｍｅｒｇｅｎｃｙ ｃａｌｌ）だけが許容され、一般コール（ｎｏｒｍａｌ ｃａｌｌ）は許容されない。一時的に加入者が立て込んで基地局の容量を超えるサービス要求が発生する場合、基地局は現在管理するセルにアクセスクラス制限を設定することができる。
【０００７】
しかし、今まで上記のような場合、前記ユーザインタフェースは、前記ユーザ装置で制限的なサービスだけ可能な原因を提供されることができなかった。この状態では、前記ユーザ装置を使用するユーザは、前記原因を提供されることができないため、前記ユーザ装置に問題があるのか現在セルの資源状態のせいなのか、その原因が分からないという問題点があった。
【先行技術文献】
【特許文献】
【０００８】
【特許文献１】特開平１０−２４３４６７号公報
【発明の概要】
【発明が解決しようとする課題】
【０００９】
本発明は、上述の問題点に鑑みてなされたもので、その目的は、移動通信システムにおけるアクセスクラス制限リストを用いるサービス状態提供装置及び方法を提供することにある。
本発明の他の目的は、アクセスクラス制限が設定された適切なセルでユーザ装置がパワーオンしたとき、ユーザインタフェースに現在のセル状態を提供する装置及び方法を提供することにある。
本発明のまた他の目的は、アクセスクラス制限が設定された適切なセルでユーザ装置がパワーオンしたとき、現在セルの状態をユーザに報告する装置及び方法を提供することにある。
【課題を解決するための手段】
【００１０】
上記目的を達成すべく、本発明の一側面によれば、移動通信端末機におけるアクセルクラス制限リストを用いるサービス状態提供方法において、システム情報に含まれたアクセスクラス制限リストの情報と既格納のアクセスクラス制限情報に、一致する情報が存在するかを検査するステップと、前記一致情報が存在する場合、前記一致情報を提供するステップと、前記一致情報をサービス端に伝送または出力するステップと、を含むことを特徴とする。
【００１１】
本発明の他の側面によれば、移動通信端末機におけるアクセスクラス制限リストを用いるサービス状態提供装置において、受信したシステム情報に含まれたアクセスクラス制限リストの情報と既格納のアクセスクラス制限情報に、一致する情報が存在する場合、前記一致情報を提供するセル制限情報処理部と、前記一致情報をサービス端に伝送し、出力するユーザインタフェースと、ネットワークからシステム情報を受信し、前記セル制限情報処理部に提供して、セル内資源アクセス（ａｃｃｅｓｓ）に対する制限事項があるかを検査させ、前記制限事項を前記ユーザインタフェースに提供する制御部と、を含むことを特徴とする。
【００１２】
本発明のまた他の側面によれば、移動通信システムにおけるアクセスクラス制限リストを用いるサービス状態提供システムにおいて、現在管理するセルに、アクセスクラス制限を設定して、システム情報に含めてブロードキャストするネットワーク装置と、前記システム情報に含まれたアクセスクラス制限リストの情報と既格納のアクセスクラス制限情報に、一致する情報が存在する場合、前記一致情報を出力する移動通信端末機と、を含むことを特徴とする。
【発明の効果】
【００１３】
本発明によれば、ユーザインタフェースに、ユーザ装置が制限的なサービスしか受けられない原因を提供し、表示させるので、前記ユーザ装置がサービスを提供されることができない場合、サービス提供不可の原因を正確に把握することができるという長所がある。
【図面の簡単な説明】
【００１４】
【図１】一般の移動通信システムの階層構造を示す図面である。
【図２】本発明の実施形態に係るユーザ装置のブロック構成を示す図面である。
【図３】本発明の実施形態に係るアクセスクラス制限リストを用いるサービス状態提供過程を示すフローチャートである。
【図４】本発明の実施形態に係るサービス状態提供画面を示す図面である。
【発明を実施するための形態】
【００１５】
本発明の好ましい実施形態を、添付の図面を参照して詳細に説明する。本発明を説明するにあたって、関連した公知技術あるいは構成についての具体的な説明が本発明の要旨を逸脱すると判断された場合、その詳細な説明を省略する。
以下、本発明の移動通信システムにおけるアクセスクラス制限リストを用いるサービス状態提供装置及び方法について説明する。
【００１６】
図２は、本発明の実施形態に係るユーザ装置のブロック構成を示す図面である。
図２に示すように、前記ユーザ装置は、インタフェースモジュール２１０、制御部２２０、格納部２３０、セル制限情報処理部２４０、ユーザインタフェース（ＭＭＩ）２５０を含む。
制御部２２０は、現在キャンピングしているセルのネットワークから周期的にブロードキャストされるアクセスクラス制限情報を含むシステム情報をインタフェースモジュール２１０から受信して、セル制限情報処理部２４０に提供する。そして、前記アクセスクラス制限情報と前記ユーザ装置のＳＩＭカードに格納された情報に一致する情報がある場合、前記セル制限情報処理部２４０が一致情報をユーザインタフェース２５０に提供してディスプレイするようにする。
【００１７】
ここで、前記ユーザ装置は、前述したように、移動通信端末機、ＰＤＡ、ノートブックコンピュータを含む。そして、前記キャンピングは、前記適切なセル内に前記ユーザ装置が位置して、別のセルに移動するまでサービスを提供されることを意味する。
前記セル制限情報処理部２４０は、前記制御部２２０の指示と提供情報により、前記アクセスクラス制限情報と前記ユーザ装置のＳＩＭカードに格納された情報に一致する情報が存在する場合、一致情報を、前記制御部２２０を介して前記ユーザインタフェース２５０に提供する。前記セル制限情報処理部２４０は、移動性管理階層（ＭＭ）に含まれることができる。
【００１８】
前記ユーザインタフェース（ＭＭＩ）２５０は、前記ユーザ装置で、ユーザと前記ユーザ装置間のインタフェースの機能をし、特に、本発明によって、前記セル制限情報処理部２４０からアクセスクラス制限一致情報提供が存在する場合、それを各サービス（例えば、音声通信サービス、データ通信サービス、短文メッセージサービスなど）を担当する機能モジュールに提供してサービス制限有無を表示させる。そして、前記ユーザインタフェース２５０は、前記サービス制限情報を提供される場合、それをすぐディスプレイすることもできる。
【００１９】
格納部２３０は、前記装置の全般的な動作を制御するためのプログラム及びプログラムの実行時に発生する一時的なデータを格納する。前記ＳＩＭカードは、前記格納部２３０に含まれることができる。
インタフェースモジュール２１０は、他のノードと通信するためのモジュールであって、ＲＦ処理部及び基底帯域処理部など含んで構成される。前記ＲＦ処理部は、アンテナを介して受信される信号を基底帯域信号に変換して、前記基底帯域処理部に提供し、前記基底帯域処理部からの基底帯域信号を、実際の大気中で伝送できるようＲＦ（ｒａｄｉｏ ｆｒｅｑｕｅｎｃｙ）信号に変換して、前記アンテナを介して送信する。
【００２０】
前述したブロック構成で、前記制御部２２０は、前記セル制限情報処理部２４０及び前記ユーザインタフェース２５０の機能を行うことができる。本発明でこれを別々に構成して図示したのは、各機能を区別して説明するためである。したがって、実際に製品を具現する場合に、前記セル制限情報処理部２４０または前記ユーザインタフェース２５０の機能を全て前記制御部２２０で処理できるように構成することも可能であって、前記機能のうち一部だけを前記制御部２２０で処理するように構成することも可能である。
【００２１】
図３は、本発明の実施形態に係るアクセスクラス制限リストを用いるサービス状態の提供過程を示すフローチャートである。
図３に示すように、ステップ３０５で、ユーザ装置の制御部は、パワーオンの後、現在位置でキャンピング可能なセルを検索するために、下位物理階層が無線周波数に対するスキャン（ｓｃａｎｎｉｎｇ）を始めるようにする。
【００２２】
もし、前記ステップ３０５で、適切なセルを検索してキャンピングすることができなかった場合、ステップ３１０に進行して、任意のセル（ａｎｙ ｃｅｌｌ）にキャンピングを行う。前記任意のセルは、キャンピング可能なセルを示す。
もし、前記ステップ３０５で、適切なセルを検索してキャンピングした場合、ステップ３１５に進行して、セルの現在状態を知らせるシステム情報を含むブロードキャストチャネル（ＢＣＨ：Ｂｒｏａｄｃａｓｔ ＣＨａｎｎｅｌ）を解析して、システム情報を獲得する。
【００２３】
以降、ステップ３２０で、前記制御部はセル制限情報処理部を制御して、前記システム情報のアクセスクラス制限リストの情報のうち、ＳＩＭカードに格納された情報と一致する情報が存在するかを検査するようにする。
もし、一致する情報が存在しない場合、ステップ３２５に進行して、一般的な登録過程を行う。
もし、一致する情報が存在する場合、ステップ３３０に進行して、一致情報をユーザインタフェースに提供する。その後、前記ユーザインタフェースは、ステップ３３５で、提供されたアクセスクラス制限一致情報を、特定のサービス（例えば、音声通信サービス、データ通信サービス、短文メッセージサービスなど）を担当する機能モジュールに生成、伝達して、該当サービス要請時、図４のようにサービス制限有無をディスプレイさせる。
【００２４】
前記ステップ３３５の過程で、前記ユーザインタフェースは、前記セル制限情報処理部から前記一致情報を提供され、すぐ前記一致情報をディスプレイすることができる。その後、ユーザから特定のサービス（例えば、音声通信サービス、データ通信サービス、短文メッセージサービスなど）が選択される場合にも、前記一致情報をディスプレイさせることができる。
その後、本発明に係るアルゴリズムを終了する。
【００２５】
本発明の例示的実施形態は、コンピュータ読出媒体上のコンピュータ読出コードを含むことができる。コンピュータ読出媒体は、コンピュータシステムにより読出できるデータを記憶させるデータ記憶手段を含むことができる。コンピュータ読出媒体の例としては、磁気記憶メディア（ＲＯＭ，フロッピー（登録商標）ディスク、ハードディスクなど）、光学記録メディア（ＣＤ−ＲＯＭまたはＤＶＤなど）及び搬送波（インターネットを介する伝送）のような記憶メカニズムなどがある。また、コンピュータ読出媒体は、コンピュータシステムに接続されているネットワークを介して配布でき、配布方式を通じて記憶及び実行することができる。また、本発明の例示的実施形態を行う機能プログラム、コード及びコードセグメントは、本発明の属する技術分野における通常の知識を有する者から理解できる。
【００２６】
一方、本発明の詳細な説明では、具体的な実施形態について説明したが、本発明の思想から逸脱しない範囲内で、様々な変形が可能であることは明白である。したがって、本発明の範囲は、説明された実施形態に限定されず、添付の特許請求の範囲だけでなく、特許請求の範囲と均等なものにより決められるべきである。
【符号の説明】
【００２７】
２１０ インタフェースモジュール
２２０ 制御部
２３０ 格納部
２４０ セル制限情報処理部（ＭＭ）
２５０ ユーザインタフェース（ＭＭＩ）
【図１】
0005969312.tif 000002
【図２】
0005969312.tif 000003
【図３】
0005969312.tif 000004
【図４】
0005969312.tif 000005